(57)【要約】【課題】紙葉類面上の折目の凹凸を画像情報として読取り、凹凸を示す画像情報から読取った画像を分割し、長い原稿の画像情報でも適切に区切ることができる画像読取装置を提供する。【解決手段】紙葉類９０に光を照射する照明部１０１と、照明部１０１から照射され紙葉類９０により反射された光を受光する受光部１００とを有し、受光部１００によって受光された光をもとに画像情報を読取る画像読取装置１において、画像情報から紙葉類９０の凹凸情報を認識する凹凸認識部１０５を備え、凹凸認識部１０５によって認識された凹凸情報を紙葉類９０の折目５１と判断して画像情報を分割することを特徴とする画像読取装置。【選択図】図５
2008177672.tif 000002
【特許請求の範囲】
【請求項１】
紙葉類に光を照射する照明部と、前記照明部から照射され前記紙葉類に反射された光を受光する受光部とを有し、前記受光部によって受光された光をもとに画像情報を読取る画像読取装置において、
前記画像情報から前記紙葉類の凹凸情報を認識する凹凸認識手段を備え、
前記凹凸認識手段によって認識された凹凸情報に基づき制御を変えることを特徴とする画像読取装置。
【請求項２】
請求項１に記載の画像読取装置において、
前記凹凸認識手段によって認識された凹凸情報を前記紙葉類の折目と判断して前記画像情報を分割することを特徴とする画像読取装置。
【請求項３】
請求項２に記載の画像読取装置において、
前記画像情報を決められた画像サイズに分割するためにサイズ情報を予め記憶するサイズ情報記憶手段と、
前記画像情報を分割する際に、前記凹凸認識手段によって認識された凹凸情報から前記紙葉類の折目と判断した箇所で分割するか、前記サイズ情報記憶手段に記憶されている前記サイズ情報に基づいて分割するか、を選択する選択手段とを備え、
前記画像情報を前記サイズ情報に基づいて決められた画像サイズに分割する箇所と、前記凹凸認識手段によって認識された凹凸情報から前記紙葉類の折目と判断する箇所との位置差が設定値以上の場合、前記サイズ情報記憶手段によって記憶されている該サイズ情報を元に決定した箇所で該画像情報を分割し、該位置差が設定値未満の場合、該凹凸認識手段によって折目と判断された箇所で該画像情報を分割することを特徴とする画像読取装置。
【請求項４】
請求項１に記載の画像読取装置において、
前記画像情報を決められた画像サイズに分割するためにサイズ情報を予め記憶するサイズ情報記憶手段を備え、
前記画像情報のサイズよりも前記サイズ情報記憶手段に予め記憶された前記サイズ情報から得られる前記紙葉類のサイズの方が小さく、かつ前記凹凸認識手段によって前記凹凸情報に基づき該紙葉類の折目と判断される箇所が認識されたとき、該凹凸認識手段によって折目と判断された箇所を境に該画像情報の一部を削除することを特徴とする画像読取装置。
【請求項５】
請求項１または４に記載の画像読取装置において、
前記画像情報を決められた画像サイズに分割するためにサイズ情報を予め記憶するサイズ情報記憶手段と、
前記画像情報のサイズよりも前記サイズ情報記憶手段に予め記憶された前記サイズ情報から得られる前記紙葉類のサイズの方が小さく、かつ前記凹凸認識手段によって前記凹凸情報に基づき該紙葉類の折目と判断される箇所が認識されたとき、重送と判断する重送認識手段とを備えることを特徴とする画像読取装置。
【発明の詳細な説明】
【技術分野】
【０００１】
本発明は画像読取装置に関し、特に、紙葉類の画像を読取る画像読取装置に関する。
【背景技術】
【０００２】
従来、画像読取装置は、図１６のように構成されている。ここで図１６は従来例に係る画像読取装置のブロック図である。画像読取装置１は、ＣＰＵ１０８、ＲＯＭ１０９、ランダムアクセスメモリ１０４、読取センサ１１０、ＤＭＡコントローラ１１１、データ転送Ｉ／Ｆ  １１２を備えている。なお、ランダムアクセスメモリ１０４は単にメモリ、ＤＭＡコントローラ１１１は単にＤＭＡ、データ転送Ｉ／Ｆ  １１２は単にＩ／Ｆと図示している。照明系で照明された原稿面上の画像情報をラインセンサ等の読取手段を用いて読取るようにした画像読取装置１においては、原稿面を例えば蛍光灯等の光源によって照明する。そして、この原稿面からの反射光束を、結像光学系を介して読取手段面上に原稿面上の画像を結像させ、該読取手段から出力した電気信号を画像処理部にて処理している。そして原稿又は読取手段を副走査方向に移動させることにより原稿面上の２次元的な画像情報を読取っている。そして、読取られた画像情報は、画像読取装置内のメモリ１０４に一時的に保存され、ＰＣ  １１３からの画像情報転送要求を受けたときに、ＤＭＡ１１１により画像読取装置内のメモリ１０４からＩ／Ｆ  １１２を介してＰＣ  １１３に転送される。
【０００３】
ここで、図１７を用いて読取原稿を１画像として転送する一般的な方法について説明する。図１７は画像読取装置１の画像情報転送に関する処理を示すフローチャートである。ＰＣ  １１３からの読取指示によりステップＳ９０１で画像の読取りを行い、ステップＳ９０２で画像をＰＣ  １１３に転送する。複数枚の原稿を連続して読取る場合は、図１７のフローを繰り返し行う。
【０００４】
上記のような画像読取装置１において原稿の画像を読取る際には、一般的に読取サイズをＡ４、Ａ５、レター等の定型サイズで読取っている。しかし画像読取装置１には、原稿が非常に長い（以後、長尺原稿とする）場合に、読取った画像を分割しながら転送するモード（以後、長尺読取モードとする）もある。長尺画像の分割手法として、所定の原稿サイズから換算して得られるライン数で分割する手法が一般的に用いられている。
【０００５】
なぜなら、図１８に示すように長尺原稿は同一形状の用紙を連結し折りたたまれた形状であることが多いからである（例えば、特許文献１参照）。
【０００６】
ここで、図１９を用いて、所定の原稿サイズのライン数で分割する方法を説明する。
【０００７】
図１９は長尺読取モードにおける処理を示すフローチャートである。ＰＣ  １１３からの読取指示によりステップＳ１００１で画像の読取りを行い、ステップＳ１００２で読取った画像の全長を所定のライン数（固定長）で割り分割画像数を決定する。ステップＳ１００３で、転送画像カウンタｎの初期化を行い、ｎを１とする。ステップＳ１００４でｎ番の分割画像をＰＣ  １１３に転送する。ステップＳ１００５で、ｎと分割画像数の比較を行い、ｎが分割画像数未満のとき（ステップＳ１００５  Ｎｏ）、ステップＳ１００６でｎを１増やし、ステップＳ１００４に戻る。ステップＳ１００５で、ｎが分割画像数以上のとき（ステップＳ１００５  Ｙｅｓ）、全ての画像転送が終了したものとし、終了する。複数枚の原稿を連続して読取る場合は、図１９のフローを繰り返し行う。
【特許文献１】特開平０９−０５８９０７号公報
【発明の開示】
【発明が解決しようとする課題】
【０００８】
しかしながら、たとえ長尺原稿が特定の紙サイズにあわせて折りたたまれていたとしても、若干の誤差がある。このため、図２０のように長い紙４０１の画像情報４０２を特定の紙サイズ４０３に分割して保存する場合、紙の先端部から指定の紙サイズ４０３にあわせて画像情報を分割していくと、分割数が増加していくに従いその誤差が積算される。これにより、４０４の部分のように意図しない箇所で画像が分断され、閲覧しづらくなってしまう。
【０００９】
本発明は以上の点に着目して成されたものであり、紙葉類面上の折目の凹凸を画像情報として読取り、凹凸を示す画像情報から読取った画像を分割し、長い原稿の画像情報でも適切に区切ることができる画像読取装置を提供することを目的とする。
【課題を解決するための手段】
【００１０】
本発明の画像読取装置は、上記のような課題を解決するために、以下の構成を備える。
【００１１】
（１）紙葉類に光を照射する照明部と、前記照明部から照射され前記紙葉類に反射された光を受光する受光部とを有し、前記受光部によって受光された光をもとに画像情報を読取る画像読取装置において、前記画像情報から前記紙葉類の凹凸情報を認識する凹凸認識手段を備え、前記凹凸認識手段によって認識された凹凸情報に基づき制御を変えることを特徴とする画像読取装置。
【００１２】
（２）前記（１）に記載の画像読取装置において、前記凹凸認識手段によって認識された凹凸情報を前記紙葉類の折目と判断して前記画像情報を分割することを特徴とする画像読取装置。
【００１３】
（３）前記（２）に記載の画像読取装置において、前記画像情報を決められた画像サイズに分割するためにサイズ情報を予め記憶するサイズ情報記憶手段と、前記画像情報を分割する際に、前記凹凸認識手段によって認識された凹凸情報から前記紙葉類の折目と判断した箇所で分割するか、前記サイズ情報記憶手段に記憶されている前記サイズ情報に基づいて分割するか、を選択する選択手段とを備え、前記画像情報を前記サイズ情報に基づいて決められた画像サイズに分割する箇所と、前記凹凸認識手段によって認識された凹凸情報から前記紙葉類の折目と判断する箇所との位置差が設定値以上の場合、前記サイズ情報記憶手段によって記憶されている該サイズ情報を元に決定した箇所で該画像情報を分割し、該位置差が設定値未満の場合、該凹凸認識手段によって折目と判断された箇所で該画像情報を分割することを特徴とする画像読取装置。
【００１４】
（４）前記（１）に記載の画像読取装置において、前記画像情報を決められた画像サイズに分割するためにサイズ情報を予め記憶するサイズ情報記憶手段を備え、前記画像情報のサイズよりも前記サイズ情報記憶手段に予め記憶された前記サイズ情報から得られる前記紙葉類のサイズの方が小さく、かつ前記凹凸認識手段によって前記凹凸情報に基づき該紙葉類の折目と判断される箇所が認識されたとき、該凹凸認識手段によって折目と判断された箇所を境に該画像情報の一部を削除することを特徴とする画像読取装置。
【００１５】
（５）前記（１）または（４）に記載の画像読取装置において、前記画像情報を決められた画像サイズに分割するためにサイズ情報を予め記憶するサイズ情報記憶手段と、前記画像情報のサイズよりも前記サイズ情報記憶手段に予め記憶された前記サイズ情報から得られる前記紙葉類のサイズの方が小さく、かつ前記凹凸認識手段によって前記凹凸情報に基づき該紙葉類の折目と判断される箇所が認識されたとき、重送と判断する重送認識手段とを備えることを特徴とする画像読取装置。
【発明の効果】
【００１６】
本発明によれば、照明部から照射された光によって、紙葉類面上の折目の凹凸を画像情報として読取ることができ、凹凸を示す画像情報から読取った画像を分割することができる。このように、折目の情報を読取った画像情報から判断することができるので、非常に長い原稿の画像情報でも適切に区切ることができる。
【００１７】
また、予め記憶していた原稿サイズを元に読取った画像を分割していき、誤差が生じることがあっても、折目情報に基づいて画像情報を分割することができるので、意図しない箇所で画像が分断されることを防ぐことができる。
【００１８】
また、通常の原稿を読取る場合は、読取った画像情報から重送を検知できるので、重送を検知するための高価なセンサを別途設ける必要がなく、安価に装置を構成することができる。
【発明を実施するための最良の形態】
【００１９】
以下本発明を実施するための最良の形態を、実施例により詳しく説明する。
【実施例１】
【００２０】
以下に本発明に係る第１の実施の形態を、画像読取装置について図１を参照しながら、具体的に説明を行う。図１は本発明のフローチャートである。なお、画像読取装置は図１６で説明したものと同じ構成を備え、以降同じ符号を用いて説明する。
【００２１】
ＰＣ  １１３から画像の読取指示を受けると、ステップＳ１０１で、画像を読取る。画像の読取動作については、後述する。ステップＳ１０２で、凹凸認識により折目を検知し、分割画像数を確定する。凹凸認識処理については、後述する。ステップＳ１０３で、転送画像カウンタｎの初期化を行い、ｎを１とする。ステップＳ１０４でｎ番の分割画像をＰＣ  １１３に転送する。ステップＳ１０５で、ｎと分割画像数の比較を行い、ｎが分割画像数未満のとき（ステップＳ１０５  Ｎｏ）、ステップＳ１０６でｎを１増やし、ステップＳ１０４に戻る。ステップＳ１０５で、ｎが分割画像数以上のとき（ステップＳ１０５  Ｙｅｓ）、全ての画像転送が終了したものとし、終了する。複数枚の原稿を連続して読取る場合は、図１のフローを繰り返し行う。
【００２２】
[画像読取動作]
図２は画像読取装置１の概略構成断面図である。図２を用い、図１のステップＳ１０１で行う画像読取動作を説明する。画像読取装置１には、紙葉類９０を載置するための載置部２が設けられている。
【００２３】
ＰＣ  １１３から画像の読取指示を受けたとき、画像読取装置１は画像の読取動作を開始する。画像情報の読取のシーケンスでは、載置部２に載置された紙葉類９０は、分離ローラ９１によって重送を防止しながら、給紙ローラ９２等によって駆動され、一枚ずつ搬送路３を通過する。図２より搬送路３中には、紙葉類９０が到達することを検出するためのレジストセンサ５と、紙葉類９０の搬送方向に対して直交する向きに配置された画像読取ユニット６が設けられている。画像読取ユニット６は、図３のように紙葉類９０に光を照射するための照明部１０１と紙葉類９０の面で反射された光を受光する受光部１００等で構成されている。
【００２４】
図４（ａ）のように紙葉類９０がレジストセンサ５を通過すると、通過してから所定時間後に紙葉類９０が画像読取ユニット６に到達することが、レジストセンサ５と画像読取ユニット６間の距離Ｌと紙葉類９０の搬送速度ｖから算出できる。これにより、図４（ｂ）のように算出された所定時間Ｌ／ｖ後から画像の読取りを開始する。
【００２５】
図５に示すように照明部１０１から紙葉類９０に照射された光は、レンズ１０３を通り受光部１００に到達する。到達した光は受光部１００によって電気信号に変換され、Ａ／Ｄ変換器１０２によってデジタル信号に変換されたのち、メモリ１０４（以下、ページメモリ１０４とする）に順次保存される。画像読取終了後、ページメモリ１０４に保存された画像情報は２次元の画像情報になる。
【００２６】
[凹凸認識処理]
次に、図１８に示すような折りたたまれた形状の長尺原稿を、図６（ａ）に示すような折目５１までの画像情報５３に分割して読取るときの、凹凸認識処理を説明する。図６（ｂ）のように予め記憶した所定の原稿サイズに分割する場合の画像５４のサイズと折目５１の間隔には通常は多少のずれがある。このため本実施例の画像読取装置では凹凸認識処理を使用して画像の境目を認識する。
【００２７】
図３（ａ）のように紙葉類９０が凸状に折られていた場合、紙葉類９０のＡ面から反射し受光部１００に到達する光の光量は紙葉類９０が平面であるときよりも、光路が短く、また紙葉類面に対する光の入射角も小さくなる。このため、受光部１００に到達する反射光の光量は多くなる。しかし図３（ｂ）に示すように紙葉類９０のＢ面に対しては、照明部１０１からの光の入射角は大きくなるため、Ｂ面から反射して受光部１００に到達する反射光の光量は、Ａ面からの反射光の光量に比べて小さくなる。なお、図中の矢印は紙葉類９０の搬送方向を示す。
【００２８】
このため、Ａ面とＢ面の折目（以下、境ともいう）５１で受光部１００に到達する反射光の光量が大きく減少することになり、図５のページメモリ１０４に形成された画像情報には、図７（ａ）のようにＢ面側に折目情報が陰影として形成される。
【００２９】
このように、折目情報が陰影として形成された画像情報を元に図５の凹凸認識部１０５（凹凸認識手段に相当）では陰影があるかどうかを判断する。
【００３０】
凹凸認識部１０５は、ページメモリ１０４に形成された図７（ａ）に示す画像情報から副走査方向（紙葉類９０の搬送方向に対して平行な方向）に平行な部分１５０ａの明るさを取得する。取得した単位長さあたりの明るさの変化量をグラフ化したものが図７（ｂ）のグラフａである。
【００３１】
図７（ｂ）のグラフａより、明るさの変化量に着目すると、変化量が負で絶対値の大きい部分１５１ａが折目であるＡ面とＢ面との境５１に一致する。また、別の副走査方向に平行な部分１５０ｂの明るさの変化量を示した図７（ｃ）のグラフｂより、変化量が負で絶対値の大きい部分１５１ｂに着目すると１５１ｂが折目であるＡ面とＢ面との境５１に一致し、且つ１５１ａと位置が一致する。このことから、凹凸認識部１０５は、変化量の大きい部分１５１ａ、１５１ｂを結ぶ直線１５２を折目情報として認識する。
【００３２】
そして、凹凸認識部１０５によって折目と認識された情報（直線１５２）に沿って、画像分割部１０６（図５）は読取られた図７（ａ）の画像情報を直線１５２で区切る。
【００３３】
また、紙葉類９０の凹面については、図８のように照射される。図８（ａ）のように紙葉類９０が凹状に折られていた場合、紙葉類９０のＡ面から反射し受光部１００に到達する光の光量は紙葉類９０が平面であるときよりも、光路が長く、また紙葉類面に対する光の入射角も大きくなる。このため、受光部１００に到達する反射光の光量は少なくなる。しかし図８（ｂ）に示すように紙葉類９０のＢ面に対しては、照明部１０１からの光の入射角は小さくなるため、Ｂ面から反射して受光部１００に到達する反射光の光量は、Ａ面からの反射光の光量に比べて大きくなる。なお、図中の矢印は紙葉類９０の搬送方向を示す。
【００３４】
したがって、Ａ面とＢ面との境５２で受光部１００に到達する反射光の光量は増大され、図９（ａ）のようにＡ面側に陰影が現れＢ面では明るい画像が得られる。
【００３５】
この場合において、ページメモリ１０４に形成された図９（ａ）に示す画像情報から取得した副走査方向に平行な部分１５３ａの、単位長さあたりの明るさの変化量をグラフ化したものが図９（ｂ）のグラフａである。図９（ｂ）のグラフａにより、明るさの変化量に着目すると、変化量が正で絶対値の大きい部分１５４ａが折目であるＡ面とＢ面との境５２に一致する。さらに、別の副走査方向に平行な部分１５３ｂの、単位長さあたりの明るさの変化量を示した図９（ｃ）のグラフｂより、変化量が正で絶対値の大きい部分１５４ｂに着目する。そうすると、１５４ｂが折目であるＡ面とＢ面との境５２に一致し、且つ１５４ａと位置が一致する。このことから、凹凸認識部１０５は変化量の大きい部分１５４ａ、１５４ｂを結ぶ直線１５５を折目情報として認識できる。
【００３６】
これまでの説明において、紙葉類９０が搬送されることを例に出したが、紙葉類９０は搬送せずに画像読取ユニット６が移動する構成の画像読取装置でも同様に折目を画像情報として表すことが可能である。
【００３７】
更に明るさの変化量を調べるための副走査方向に平行な部分は１５０ａ、１５０ｂの２箇所であったが（図７（ａ））、皺の多い原稿に対してもより正確に折目情報を得るために更に複数箇所の明るさの変化量を同様に調べ、折目であると判断しても良い。その場合、複数箇所の明るさの変化量を調べ、１箇所でも異なるようであれば、皺と判断して構わない。
【００３８】
本実施例では凹凸認識部１０５は図５のように独立して設けられているが、凹凸認識を図１０に示すＣＰＵ１０８のプログラムの機能の一部として実現してもよい。また本実施例では凹凸認識部１０５は画像読取装置１内にある場合の説明を行ったが、次のように構成してもよい。すなわち、長尺の画像情報を１枚としてＰＣ  １１３に送信し、ＰＣ側でソフトウエアまたはハードウエアによる処理を行い、画像情報から凹凸の認識を行い、認識された折目情報に基づいて画像を分割、保存しても構わない。この場合画像読取装置１とそれに接続されたＰＣ  １１３をひとまとめとして本発明の画像読取装置が構成される。
【実施例２】
【００３９】
以下に本発明に係る第２の実施の形態を、画像読取装置について図を参照しながら、具体的に説明を行う。
【００４０】
図１０のように画像読取装置１には、予め記憶した分割する所定の原稿サイズに対応した情報を元に画像を分割するか、凹凸認識部１０５によって認識された情報を元に画像を分割するかを選択する選択部１０７（選択手段に相当）がある。長尺読取モードで画像の読取指示をＰＣ  １１３から受けたとき、画像読取装置１は、画像の読取を開始し読取った画像情報はページメモリ１０４に保存され、図７（ａ）に示すような２次元の画像情報になる。なお、分割する所定の原稿サイズに対応した情報は、サイズ情報記憶手段としての例えばＲＯＭ１０９に予め記憶されたものである。
【００４１】
画像読取装置１は、ページメモリ１０４に保存されている画像情報をＰＣ  １１３に対して転送する際、予め記憶していた所定の原稿サイズで分割する箇所を求める。また一方で、実施例１と同様に、凹凸認識部１０５は図７（ａ）の画像情報の副走査方向に平行な部分の明るさの変化量を調べていき、変化量の大きい部分を折目として判断する。
【００４２】
ここで、図１１（ａ）のように所定の原稿サイズで分割する箇所６０と凹凸認識部１０５によって折目と判断された箇所５１（境５１）が、ある距離以上にはなれていた場合、誤検知の可能性がある。このため、選択部１０７は所定の原稿サイズで分割する箇所６０を選択する。そして画像読取装置１は分割箇所６０までの画像情報６１（斜線部）をＰＣ  １１３に転送する。また、図１１（ｂ）のように所定の原稿サイズで分割する箇所６０と凹凸認識部１０５によって折目と判断された箇所５１が近傍にあった場合、選択部１０７は凹凸認識部１０５によって判断された箇所５１を選択する。そして画像読取装置１は分割箇所５１までの画像情報５３（斜線部）をＰＣ  １１３に転送する。このように所定の原稿サイズと折目が多少の誤差があっても折目部分で画像が適宜分割されるので、閲覧しにくい箇所で画像が分断されることを防ぐことができる。
【００４３】
本実施例では、選択部１０７を独立して設けているが、ＣＰＵ１０８のプログラムの一部として実現してもよい。また画像読取装置１とそれに接続されたＰＣ  １１３をひとまとめとして、本発明の画像読取装置が構成されると考えても良く、選択部１０７はＰＣ  １１３側のハードウエアまたはソフトウエアで実現することもできる。
【実施例３】
【００４４】
以下に、本発明に係る第３の実施の形態を画像読取装置について図を参照しながら、具体的に説明を行う。
【００４５】
図１２（ａ）のように紙葉類９０ａと紙葉類９０ｂが重なった状態で搬送され画像の読取りが行われた場合、ページメモリ１０４に形成された画像情報は図１３のようになる。図１３の画像情報の副走査方向に平行な部分での単位長さあたりの明るさの変化量を実施例１と同様に調べると、境界線１５６で受光部１００までの光路が近くなり到達する光の光量が大きくなる。そのため、図１２（ｂ）のグラフのように境界線１５６で明るさの変化量は正の方向に急激に大きくなる。また急激に明るくなることから、紙葉類９０ａが下側に、紙葉類９０ｂが上側に重なっていることがわかる。このことから、画像読取装置１は画像情報７１を削除し、ＰＣ  １１３に対して画像情報７０を転送することにより、紙葉類９０ｂの画像情報７０に余分な画像情報が加わることなく得ることができる。
【００４６】
また、図１４（ａ）のように紙葉類９０ａと紙葉類９０ｂが図１２（ａ）とは逆に重なった状態で搬送されて画像の読取が行われた場合、ページメモリ１０４に形成された画像情報は図１５のようになる。図１５の画像情報の副走査方向に平行な部分での明るさの変化量を実施例１と同様に調べると、境界線１５７で受光部１００までの光路が長くなり到達する光の光量が小さくなる。そのため、図１４（ｂ）のグラフのように境界線１５７での単位長さあたりの明るさの変化量は負の方向に急激に大きくなる。また急激に暗くなることから、紙葉類９０ａが上側に紙葉類９０ｂが下側に重なっていることがわかる。
【００４７】
このことから、画像読取装置１は画像情報７３を削除し、ＰＣ  １１３に対して画像情報７２を転送することにより、紙葉類９０ａの画像情報７２に余分な画像情報が加わることなく得ることができる。
【００４８】
以上のように、紙葉類９０ａ、９０ｂが定型原稿の場合においては、凹凸認識部１０５（重送認識手段に相当）により紙葉類９０ａ、９０ｂの重なりを検知することができ、重送を認識することができる。
【図面の簡単な説明】
【００４９】
【図１】本発明の実施例１に係る長尺原稿の画像情報を分割して転送する処理を示すフローチャートである。
【図２】本発明の実施例１に係る画像読取装置を示す概略断面図である。
【図３】本発明の実施例１に係る長尺原稿の凸面に対して光を照射しているときの概略図で、（ａ）はＡ面に光を照射している場合を示す図、（ｂ）はＢ面に光を照射している場合を示す図である。
【図４】（ａ）はレジストセンサに紙葉類が到達したときを示す図、（ｂ）は（ａ）から時間Ｌ／ｖ経過後を示す図である。
【図５】本発明の実施例１に係る画像読取装置のブロック図である。
【図６】（ａ）は長尺原稿の画像情報を示す図、（ｂ）は画像情報と折目の間隔に多少のずれがあることを示す図である。
【図７】（ａ）は本発明の実施例１に係る長尺原稿の凸面部を読取った画像情報を示す図、（ｂ）は（ａ）の１５０ａにおける単位長さあたりの明るさの変化量を示すグラフ、（ｃ）は（ａ）の１５０ｂにおける単位長さあたりの明るさの変化量を示すグラフである。
【図８】本発明の実施例１に係る長尺原稿の凹面に対して光を照射しているときの概略図で、（ａ）はＡ面に光を照射している場合を示す図、（ｂ）はＢ面に光を照射している場合を示す図である。
【図９】（ａ）は本発明の実施例１に係る長尺原稿の凹面部を読取った画像情報を示す図、（ｂ）は（ａ）の１５３ａにおける単位長さあたりの明るさの変化量を示すグラフ、（ｃ）は（ａ）の１５３ｂにおける単位長さあたりの明るさの変化量を示すグラフである。
【図１０】本発明の実施例２に係る画像読取装置のブロック図である。
【図１１】長尺原稿の画像を読取ったときのページメモリに形成される画像情報を示す図で、（ａ）は所定の原稿サイズで分割する場合を示す図、（ｂ）は凹凸認識部により折目と判断された箇所で分割する場合を示す図である。
【図１２】（ａ）は紙葉類が重なって搬送されたときを示す図、（ｂ）は（ａ）の場合の単位長さあたりの明るさの変化量を示すグラフである。
【図１３】紙葉類が重なって搬送された状態で読取られた画像情報を示す図である。
【図１４】（ａ）は紙葉類が重なって搬送されたときを示す図、（ｂ）は（ａ）の場合の単位長さあたりの明るさの変化量を示すグラフである。
【図１５】紙葉類が重なって搬送された状態で読取られた画像情報を示す図である。
【図１６】従来例に係る画像読取装置のブロック図である。
【図１７】従来例に係る原稿の画像情報を転送する処理を示すフローチャートである。
【図１８】折りたたまれた長尺原稿の説明図である。
【図１９】従来例に係る長尺原稿の画像情報を分割して転送する処理を示すフローチャートである。
【図２０】従来例に係る長尺原稿と分割する位置のずれを説明する図である。
【符号の説明】
【００５０】
１          画像読取装置
２          載置部
３          搬送路
５          レジストセンサ
６          画像読取ユニット
５１        折目（凸部）
５２        折目（凹部）
５３        折目までの画像情報
５４        折目に挟まれた区間の画像情報
６０        所定の原稿サイズ
６１        所定の原稿サイズで区切られた画像情報
７０、７３  紙葉類９０ｂの画像情報
７１、７２  紙葉類９０ａの画像情報
９０        紙葉類
９０ａ      紙葉類
９０ｂ      紙葉類
９１        分離ローラ
９２        給紙ローラ
１００      受光部
１０１      照明部
１０２      Ａ／Ｄ変換器
１０３      レンズ
１０４      ページメモリ
１０５      凹凸認識部（凹凸認識手段、重送認識手段に相当）
１０６      画像分割部
１０７      選択部（選択手段に相当）
１０９      ＲＯＭ（サイズ情報記憶手段に相当）
１５０ａ、１５０ｂ  明るさの変化量を調べるための副走査方向に平行な部分
１５１ａ、１５１ｂ  明るさの変化量がもっとも大きい箇所
１５２      １５１ａ、１５１ｂを結んだ境界線
１５３ａ、１５３ｂ  明るさの変化量を調べるための副走査方向に平行な部分
１５４ａ、１５４ｂ  明るさの変化量がもっとも大きい箇所
１５５      １５４ａ、１５４ｂを結んだ境界線
１５６      明るさの変化量がもっとも大きい箇所
１５７      明るさの変化量がもっとも大きい箇所
４０１      長い原稿
４０２      長い原稿に印刷されている領域
４０３      分割する定型サイズ
４０４      ズレが蓄積されたときの定型サイズの画像
【図１】
2008177672.tif 000003
【図２】
2008177672.tif 000004
【図３】
2008177672.tif 000005
【図４】
2008177672.tif 000006
【図５】
2008177672.tif 000007
【図６】
2008177672.tif 000008
【図７】
2008177672.tif 000009
【図８】
2008177672.tif 000010
【図９】
2008177672.tif 000011
【図１０】
2008177672.tif 000012
【図１１】
2008177672.tif 000013
【図１２】
2008177672.tif 000014
【図１３】
2008177672.tif 000015
【図１４】
2008177672.tif 000016
【図１５】
2008177672.tif 000017
【図１６】
2008177672.tif 000018
【図１７】
2008177672.tif 000019
【図１８】
2008177672.tif 000020
【図１９】
2008177672.tif 000021
【図２０】
2008177672.tif 000022